(57)【要約】【課題】マルチメディアデータに係る著作権を保護しながら、このマルチメディアデータの利用者の利便性を向上させる。【解決手段】ＨＤＤ装置１１に蓄積されたコピーワンス信号付きの第１のデータを復号した後、フォーマット変換処理装置１３で解像度などのフォーマット変換をし、更に、符号化処理装置１４で第２のデータに符号化して第２記録再生装置２０に移動する際に、該第２のデータを鍵として、第１のデータを暗号化処理装置１６で暗号化してＨＤＤ装置１１に保存すると共に、データ削除装置１５で第１のデータをＨＤＤ装置１１から削除する。しかる後、第２記録再生装置２０から第２のデータを受け取った場合、該第２のデータを鍵として、暗号解除処理装置１７で暗号化データを変換前の元の第１のデータに復号化してＨＤＤ装置１１に再度蓄積する。【特許請求の範囲】
【請求項１】
第１のデータを第２のデータに変換するデータ変換部と、前記第２のデータを鍵として、前記第１のデータを暗号化して暗号化データを生成する暗号化部とを備えたマルチメディアデータ記録再生装置。
【請求項２】
前記第１のデータを蓄積するための記憶部を備え、前記データ変換部は、前記記憶部に蓄積された前記第１のデータを元のデータに復号するための復号部と、前記復号部により復号された元のデータを前記第２のデータ用のデータフォーマットのデータに変換するフォーマット変換部と、前記フォーマット変換部によりフォーマット変換された符号化前の前記データを符号化して前記第２のデータを生成するための符号化部とを備えた請求の範囲１のマルチメディアデータ記録再生装置。
【請求項３】
前記暗号化データを保存する保存部と、前記記憶部に蓄積された前記第１のデータを削除するデータ削除部とを備えた請求の範囲２のマルチメディアデータ記録再生装置。
【請求項４】
前記データ変換部によりコピーワンス信号付きの前記第１のデータから変換された前記第２のデータが本マルチメディアデータ記録再生装置とは異なる第２の記録再生装置に移動された際に、前記データ削除部は前記第１のデータを前記記憶部から削除し、前記保存部は前記暗号化データを保存する請求の範囲３のマルチメディアデータ記録再生装置。
【請求項５】
前記暗号化データを、前記第２のデータを鍵として、前記第１のデータに復号化する暗号化解除部を備えた請求の範囲１乃至４のいずれかに記載のマルチメディアデータ記録再生装置。
【請求項６】
前記暗号化データから復号化された前記第１のデータを蓄積する蓄積部と、保存されていた前記暗号化データを削除する暗号化データ削除部とを備えた請求の範囲５のマルチメディアデータ記録再生装置。
【請求項７】
本マルチメディアデータ記録再生装置とは異なる第３のマルチメディア記録再生装置から本マルチメディア記録再生装置に移動された前記第２のデータを鍵として、保存されていた前記暗合化データが前記第１のデータに復号化された際に、前記蓄積部は復号化した前記第１のデータを蓄積し、前記暗号化データ削除部は前記暗号化データを削除する請求の範囲６のマルチメディアデータ記録再生装置。
【請求項８】
前記第１のデータと前記第２のデータとは、少なくとも解像度が異なる請求の範囲１のマルチメディアデータ記録再生装置。
【請求項９】
前記第１のデータと前記第２のデータとは、少なくともビットレートが異なる請求の範囲１のマルチメディアデータ記録再生装置。
【請求項１０】
前記第１のデータと前記第２のデータとは、少なくとも符号化方式が異なる請求の範囲１のマルチメディアデータ記録再生装置。
【請求項１１】
第１のデータを第２のデータに変換するデータ変換ステップと、前記第２のデータを鍵として、前記第１のデータを再生することができない形式の暗号化データに暗号化する暗号化ステップとを有するマルチメディアデータ記録再生方法。
【請求項１２】
前記第１のデータを蓄積する記憶ステップと、前記記憶ステップにより蓄積された前記第１のデータを元のデータに復号する復号ステップと、前記復号ステップにより復号された元のデータを前記第２のデータ用のデータフォーマットのデータに変換するフォーマット変換ステップと、前記フォーマット変換ステップによりフォーマット変換された符号化前の前記データを符号化して前記第２のデータを生成する符号化ステップとを有する請求の範囲１１のマルチメディアデータ記録再生方法。
【請求項１３】
暗号化した前記暗号化データを保存する保存ステップと、前記記憶ステップにより蓄積された前記第１のデータを削除するデータ削除ステップとを有する請求の範囲１２のマルチメディアデータ記録再生方法。
【請求項１４】
前記データ変換ステップによりコピーワンス信号付きの前記第１のデータから変換された前記第２のデータを、第２の記録再生装置に移動した際に、蓄積された前記第１のデータを前記データ削除ステップにより削除し、前記暗号化ステップにより暗号化された前記暗号化データを前記保存ステップにより保存する請求の範囲１３のマルチメディアデータ記録再生方法。
【請求項１５】
前記暗号化データを、前記第２のデータを鍵として、前記第１のデータに復号化する暗号化解除ステップを有する請求の範囲１１乃至１４のいずれかに記載のマルチメディアデータ記録再生方法。
【請求項１６】
前記暗号化データから復号化された前記第１のデータを蓄積する蓄積ステップと、保存されていた前記暗号化データを削除する暗号化データ削除ステップとを有する請求の範囲１５のマルチメディアデータ記録再生方法。
【請求項１７】
第３の記録再生装置から受け取ったコピーワンス信号付きの前記第２のデータを鍵として、保存されていた前記暗号化データを前記第１のデータに復号化した際に、復号化した前記第１のデータを前記蓄積ステップにより蓄積し、保存されていた前記暗号化データを前記暗号化データ削除ステップにより削除する請求の範囲１６に記載のマルチメディアデータ記録再生方法。
【請求項１８】
前記第１のデータと前記第２のデータとは、少なくとも解像度が異なる請求の範囲１１のマルチメディアデータ記録再生方法。
【請求項１９】
前記第１のデータと前記第２のデータとは、少なくともビットレートが異なる請求の範囲１１のマルチメディアデータ記録再生方法。
【請求項２０】
前記第１のデータと前記第２のデータとは、少なくとも符号化方式が異なる請求の範囲１１のマルチメディアデータ記録再生方法。
【請求項２１】
請求の範囲１１乃至１４のいずれかに記載のマルチメディアデータ記録再生方法をコンピュータに実行させるマルチメディアデータ記録再生プログラム。
【請求項２２】
請求の範囲２１のマルチメディアデータ記録再生プログラムを、コンピュータにより読取り可能に記録したプログラム記録媒体。
【発明の詳細な説明】
【技術分野】
【０００１】
本発明は、マルチメディアデータ記録再生装置及び方法、プログラム及び記録媒体に関し、特に、動画データや音楽データなどのマルチメディアデータを記録再生することが可能なマルチメディアデータ記録再生装置及び方法、プログラム及び記録媒体に関する。
【背景技術】
【０００２】
近年、デジタル技術の進歩に伴い、ハードディスク（ＨＤ）を記録媒体とする記録再生装置(ＨＤＤレコーダ)がビデオテープレコーダにかわる次世代の録画再生装置として注目を集めるようになった。ＨＤＤレコーダでは、大容量のハードディスクドライブ（ＨＤＤ）を使用することにより、長時間のマルチメディアデータを記録することができる。【０００３】
また、持ち運び可能な携帯式記録再生装置（携帯プレーヤ）も注目を集めている。携帯プレーヤは、携帯用として小型軽量化を図るために比較的容量の小さいＨＤＤと小型液晶表示装置とを備えている。マルチメディアデータを携帯プレーヤに記録して持ち運べば、どこでも好きな場所でマルチメディアデータを視聴することが可能である。【０００４】
ここで、テレビ番組などの動画データをＨＤＤレコーダに記録する場合、質の高い動画を再生できるように比較的高い解像度や高いビットレートで記録することが一般的である。一方、携帯プレーヤの場合は、ＨＤＤの容量が小さく液晶表示装置の解像度も低いため、データサイズを小さくするために解像度を下げ、低いビットレートとして動画データを記録することが一般的である。また、ＨＤＤレコーダと携帯プレーヤとでは、再生可能な符号化方式が異なる場合がある。【０００５】
したがって、ＨＤＤレコーダに記録されているデータを携帯プレーヤで再生しようとする場合、ＨＤＤレコーダにおいて元のデータに対してデータフォーマット又は符号化方式を変更するデータ変換を行い、変換後のデータを携帯プレーヤに転送することが行われていた。一般的にこのような変換は不可逆的であるため、変換後のデータから元のデータを復元することができない。【０００６】
一方、デジタル放送においては、著作権保護のため、コピー制御用の信号を利用してコピーの可否や、コピー回数などを制御している。例えば、デジタル放送を一回に限って記録再生装置に記録することを許可するコピーワンスという仕組みが広く用いられている。コピーワンスにおいては、記録再生装置に一度記録したデータを、当該装置内、当該装置外のいずれにおいてもコピー（複製）を作成することができない。したがって、コピーワンス信号付きで記録した動画データは、当該装置上でしか再生することができない。つまり、デジタル放送された番組の動画データをＨＤＤレコーダで記録した場合は、その動画データを携帯プレーヤで好きなところに持ち運んで視聴することができないという不都合があった。【０００７】
このような不都合を解消するための従来技術の一つとして、特開２００２-２３８０２３号公報に記載された「デジタル情報記録装置、再生装置及び送信装置」が知られている。この装置では、コピーが認められない場合であっても、一の装置に記録したデータを他の装置に移動することを可能にしている。即ち、この移動とは、転送元の装置に保存されているデータを転送先の装置に転送する際に、このデータを転送元の装置から削除することを条件として転送先の装置にデータを複製することを許可するという方法である。この移動は、一般に、「ムーブ」と呼ばれている。この「ムーブ」によれば、元のデータが複製されることを実質的に防ぎながらデータを装置間で転送することが可能である。【０００８】
上記「ムーブ」に関連する従来技術としては、特開２００２-２３８０２３号公報に記載された技術の他にも特開２００２−２９０９０５号公報に記載された技術及び特開２００５ー６３０６８号公報に記載された技術が知られている。
【発明の開示】
【０００９】
本発明の目的は、マルチメディアデータに係る著作権を保護しながら、このマルチメディアデータの利用者の利便性を向上させたマルチメディアデータ記録再生装置及び記録再生方法、マルチメディアデータ記録再生プログラム、及び、プログラム記録媒体を提供することにある。
【００１０】
ここで、マルチメディアデータとは、動画データ、音楽データ、静止画データ、イラストデータ、テキストデータなどの各種データ、又はこれらから任意に選択された複数のデータを組み合わせて構成されたデータを意味している。
【００１１】
本発明によるマルチメディアデータ記録再生装置及び方法、プログラム及び記録媒体は、次のような特徴的な構成を採用している。
【００１２】
（１）マルチメディアデータ記録再生装置は、データ変換部と、暗号化部とを備えている。データ変換部は、第１のデータを第２のデータに変換する。暗号化部は、第２のデータを鍵として、第１のデータを暗号化して暗号化データを生成する。
【００１３】
（２）上記（１）のマルチメディアデータ記録再生装置は、データ変換部として、更に、記憶部と、復号部と、フォーマット変換部と、符号化部とを備えてもよい。記憶部は、第１のデータを蓄積する。復号部は、記憶部に蓄積された第１のデータを元のデータに復号する。フォーマット変換部は、復号部により復号された元のデータを第２のデータ用のデータフォーマットのデータに変換する。符号化部は、フォーマット変換部によりフォーマット変換されたデータを符号化して第２のデータを生成する。
【００１４】
（３）上記（２）のマルチメディアデータ記録再生装置は、暗号化部として、更に、保存部と、データ削除部とを備えてもよい。保存部は、暗号化データを保存する。データ削除部は、記憶部に蓄積された第１のデータを削除する。
【００１５】
（４）上記（３）のマルチメディアデータ記録再生装置においては、第１のデータはコピーワンス信号付きのデータである。第２のデータが本マルチメディアデータ記録再生装置とは異なる第２の記録再生装置に移動された際に、データ削除部は第１のデータを記憶部から削除し、保存部は暗号化データを保存する。
【００１６】
（５）上記（１）乃至（４）のいずれかのマルチメディアデータ記録再生装置は、暗号化解除部を備えてもよい。暗号化解除部は、暗号化データを、第２のデータを鍵として、第１のデータに復号化する。
【００１７】
（６）上記（５）のマルチメディアデータ記録再生装置は、暗号化解除部として、更に、蓄積部と、暗号化データ削除部とを備えてもよい。蓄積部は、暗号化データから復号化された第１のデータを蓄積する。暗号化データ削除部は、保存されていた暗号化データを削除する。
【００１８】
（７）上記（６）のマルチメディアデータ記録再生装置は、本マルチメディアデータ記録再生装置とは異なる第３の記録再生装置からコピーワンス信号付きの第２のデータを受け取る。暗号化データが第１のデータに復号化された際に、蓄積部は復号化された第１のデータを蓄積し、暗号化データ削除部は暗号化データを削除する。第３の記録再生装置と第２の記録再生装置は、同一の又は異なる記録再生装置である。
【００１９】
（８）上記（１）乃至（７）のいずれかのマルチメディアデータ記録再生装置においては、第１のデータと第２のデータとは、少なくとも解像度が異なる。
【００２０】
（９）上記（１）乃至（７）のいずれかのマルチメディアデータ記録再生装置においては、第１のデータと第２のデータとは、少なくともビットレートが異なる。
【００２１】
（１０）上記（１）乃至（７）のいずれかのマルチメディアデータ記録再生装置においては、第１のデータと第２のデータとは、少なくとも符号化方式が異なる。
【００２２】
（１１）マルチメディアデータ記録再生方法は、第１のデータを第２のデータに変換するデータ変換ステップと、第２のデータを鍵として、第１のデータを再生することができない形式の暗号化データに暗号化する暗号化ステップとを有している。
【００２３】
（１２）上記（１１）のマルチメディアデータ記録再生方法は、データ変換ステップとして、更に、記憶ステップと、復号ステップと、フォーマット変換ステップと、符号化ステップとを有してもよい。記憶ステップは、第１のデータを蓄積するステップである。復号ステップは、記憶ステップにより蓄積された第１のデータを元のデータに復号するステップである。フォーマット変換ステップは、復号ステップにより復号された元のデータを第２のデータ用のデータフォーマットのデータに変換するステップである。符号化ステップは、フォーマット変換ステップによりフォーマット変換されたデータを符号化して第２のデータを生成するステップである。
【００２４】
（１３）上記（１２）のマルチメディアデータ記録再生方法は、暗号化ステップとして、更に、保存ステップと、データ削除ステップとを有してもよい。保存ステップは、暗号化した暗号化データを保存するステップである。データ削除ステップは、記憶ステップにより蓄積された第１のデータを削除するステップである。
【００２５】
（１４）上記（１３）のマルチメディアデータ記録再生方法は、データ変換ステップにおいてコピーワンス信号付きの第１のデータを第２のデータに変換する。第２のデータが異なる第２の記録再生装置に移動された際に、データ削除ステップにおいて第１のデータが削除され、保存ステップにより暗号化データが保存される。
【００２６】
（１５）上記（１１）乃至（１４）のいずれかのマルチメディアデータ記録再生方法は、暗号化解除ステップを有してもよい。暗号化解除ステップは、暗号化データを、第２のデータを鍵として、第１のデータに復号化するステップである。
【００２７】
（１６）上記（１５）のマルチメディアデータ記録再生方法は、暗号化解除ステップとして、更に、蓄積ステップと、暗号化データ削除ステップとを有してもよい。蓄積ステップは、暗号化データから復号化された第１のデータを蓄積するステップである。暗号化データ削除ステップは、保存されていた暗号化データを削除するステップである。
【００２８】
（１７）上記（１６）のマルチメディアデータ記録再生方法においては、第３の記録再生装置から受け取ったコピーワンス信号付きの第２のデータを鍵として暗号化データを第１のデータに復号化した際に、蓄積ステップと暗号化データ削除ステップとを実行する。第３の記録再生装置と第２の記録再生装置は、同一の又は異なる記録再生装置である。
【００２９】
（１８）上記（１１）乃至（１７）のいずれかのマルチメディアデータ記録再生方法においては、第１のデータと第２のデータとは、少なくとも解像度が異なる。
【００３０】
（１９）上記（１１）乃至（１７）のいずれかのマルチメディアデータ記録再生方法においては、第１のデータと第２のデータとは、少なくともビットレートが異なる。
【００３１】
（２０）上記（１１）乃至（１７）のいずれかのマルチメディアデータ記録再生方法においては、第１のデータと第２のデータとは、少なくとも符号化方式が異なる。
【００３２】
（２１）マルチメディアデータ記録再生プログラムは、データ変換ステップと、暗号化ステップとをコンピュータに実行させる。データ変換ステップは、第１のデータを第２のデータに変換するステップである。暗号化ステップは、第２のデータを鍵として、第１のデータを再生することができない形式の暗号化データに暗号化するステップである。
【００３３】
（２２）上記（２１）のマルチメディアデータ記録再生プログラムは、データ変換ステップとして、更に、記憶ステップと、復号ステップと、フォーマット変換ステップと、符号化ステップとをコンピュータに実行させてもよい。記憶ステップは、第１のデータを蓄積するステップである。復号ステップは、記憶ステップにより蓄積された第１のデータを元のデータに復号するステップである。フォーマット変換ステップは、復号ステップにより復号された元のデータを第２のデータ用のデータフォーマットのデータに変換するステップである。符号化ステップは、フォーマット変換ステップによりフォーマット変換されたデータを符号化して第２のデータを生成するステップである。
【００３４】
（２３）上記（２２）のマルチメディアデータ記録再生プログラムは、暗号化ステップとして、更に、保存ステップと、データ削除ステップとをコンピュータに実行させてもよい。保存ステップは、暗号化した暗号化データを保存するステップである。データ削除ステップは、記憶ステップにより蓄積された第１のデータを削除するステップである。
【００３５】
（２４）上記（２３）のマルチメディアデータ記録再生プログラムは、データ変換ステップにおいてコピーワンス信号付きの第１のデータを第２のデータに変換することをコンピュータに実行させてもよい。第２のデータが異なる第２の記録再生装置に移動された際に、データ削除ステップにおいて第１のデータが削除され、保存ステップにより暗号化データが保存される。
【００３６】
（２５）上記（２１）乃至（２４）のいずれかのマルチメディアデータ記録再生プログラムは、暗号化解除ステップをコンピュータに実行させてもよい。暗号化解除ステップは、暗号化データを、第２のデータを鍵として、第１のデータに復号化するステップである。
【００３７】
（２６）上記（２５）のマルチメディアデータ記録再生プログラムは、暗号化解除ステップとして、更に、蓄積ステップと、暗号化データ削除ステップとをコンピュータに実行させてもよい。蓄積ステップは、暗号化データから復号化された第１のデータを蓄積するステップである。暗号化データ削除ステップは、保存されていた暗号化データを削除するステップである。
【００３８】
（２７）上記（２６）のマルチメディアデータ記録再生プログラムにおいては、第３の記録再生装置から受け取ったコピーワンス信号付きの第２のデータを鍵として暗号化データを第１のデータに復号化した際に、蓄積ステップと暗号化データ削除ステップとをコンピュータに実行させてもよい。第３の記録再生装置と第２の記録再生装置は、同一の又は異なる記録再生装置である。
【００３９】
（２８）上記（２１）乃至（２７）のいずれかのマルチメディアデータ記録再生プログラムにおいては、第１のデータと第２のデータとは、少なくとも解像度が異なる。
【００４０】
（２９）上記（２１）乃至（２７）のいずれかのマルチメディアデータ記録再生プログラムにおいては、第１のデータと第２のデータとは、少なくともビットレートが異なる。
【００４１】
（３０）上記（２１）乃至（２７）のいずれかのマルチメディアデータ記録再生プログラムにおいては、第１のデータと第２のデータとは、少なくとも符号化方式が異なる。
【００４２】
（３１）上記（２１）乃至（３０）のいずれかのマルチメディアデータ記録再生プログラムを、コンピュータにより読取り可能に記録したプログラム記録媒体。
【００４３】
本発明によるマルチメディアデータ記録再生装置及び記録再生方法、マルチメディアデータ記録再生プログラム、及び、プログラム記録媒体によれば、以下に示すような効果を奏することができる。
【００４４】
本発明によれば、第１記録再生装置から第２記録再生装置に対してデータフォーマットや符号化方式を変更するデータ変換を伴うマルチメディアデータのムーブ（移動）を行った後であっても、変換後のマルチメディアデータ（第２のデータ）が第２記録再生装置から第１記録再生装置に書き戻された場合、変換前のマルチメディアデータ（第１のデータ）を第１記録再生装置上で再生することが可能となる。
【００４５】
その理由は、ムーブを行う際に、変換後のマルチメディアデータ（第２のデータ）自体を鍵として変換前のマルチメディアデータ（第１のデータ）を暗号化した暗号化データが生成されるためである。暗号化データをムーブ元である第１記録再生装置に残しておけば、第１記録再生装置に書き戻されたマルチメディアデータ（第２のデータ）を鍵として用いて暗号化データを復号することにより、変換前のマルチメディアデータ（第１のデータ）を復元することができるためである。
【００４６】
したがって、本発明によれば、マルチメディアデータの利用者の利便性が向上する。しかも、暗号化データは変換後のマルチメディアデータがなければ再生することができないから、マルチメディアデータに係る著作権が保護される。
【００４７】
本発明によれば、データフォーマットや符号化方式を変更するデータ変換が不可逆的な場合であっても、暗号化データと変換後のマルチメディアデータとから変換前のマルチメディアデータを復元できる。
【図面の簡単な説明】
【００４８】
【図１】図１は、本発明の実施形態に係るマルチメディアデータ記録再生装置を示すブロック構成図である。
【図２】図２は、本発明の実施形態に係る動画データ（第１のデータ）について示す図である。
【図３】図３は、本発明の実施形態に係る動画データ（第２のデータ）について示す図である。
【図４】図４は、本発明の実施形態に係る暗号化処理について説明するための図である。
【図５】図５は、本発明の実施形態に係るマルチメディアデータ記録再生装置の動作について説明するための図である。
【図６】図６は、本発明の実施形態にかかるマルチメディアデータ記録再生装置の動作について説明するための他の図である。
【発明を実施するための最良の形態】
【００４９】
以下、本発明によるマルチメディアデータ記録再生装置及び記録再生方法、マルチメディアデータ記録再生プログラム、及び、プログラム記録媒体の最良の実施形態について添付図を参照して説明する。なお、以下の実施形態の説明においては、本発明によるマルチメディアデータ記録再生装置及び記録再生方法について詳細に説明することとするが、斯かる説明から、コンピュータ上でプログラムとして実行する本発明のマルチメディアデータ記録再生プログラムや、コンピュータにより読取り可能な記録媒体にマルチメディアデータ記録再生プログラムを記録している本発明のプログラム記録媒体に関する実施形態についても、容易に想到することが可能である。【００５０】
まず、本発明の実施形態によるマルチメディアデータ記録再生装置及び記録再生方法、マルチメディアデータ記録再生プログラム、及び、プログラム記録媒体の特徴について説明する。本発明の実施形態によるマルチメディアデータ記録再生装置及び記録再生方法、マルチメディアデータ記録再生プログラム、及び、プログラム記録媒体は、第１記録再生装置から第２記録再生装置へマルチメディアデータのムーブを行う際に、ムーブ前のマルチメディアデータ（第1のデータ）をムーブ用に変換後のマルチメディアデータ（第２のデータ）自体を鍵として暗号化して、ムーブ元である第１記録再生装置に暗号化データとして保存しておく仕組みを備えることにその特徴を有している。【００５１】
ここで、暗号化とは、暗号化時の鍵として用いたムーブ用に変換後のマルチメディアデータ（第２のデータ）がない限り、ムーブ前のマルチメディアデータ（第1のデータ）を再生することができない形に変換することを意味している。【００５２】
ここで、マルチメディアデータのムーブ動作においては、ムーブ先である第２記録再生装置にムーブ用に変換後のマルチメディアデータ（第２のデータ）がコピーされ、このとき、ムーブ元である第１記録再生装置では、保存していたムーブ前のマルチメディアデータ（第1のデータ）が削除される。【００５３】
したがって、ムーブ元の第１記録再生装置では、ムーブ前のマルチメディアデータ（第1のデータ）が削除されてしまうため、ムーブ前のマルチメディアデータ（第1のデータ）の再生ができなくなる。しかし、第１記録再生装置には、ムーブ前のマルチメディアデータ（第1のデータ）を暗号化した暗号化データが残されているため、再びムーブ先である第２記録再生装置からムーブ用に変換後のマルチメディアデータ（第２のデータ）をムーブさせて書き戻すことにより、書き戻したマルチメディアデータ（第２のデータ）を鍵として、暗号化データの暗号を解除すれば、本来のムーブ前のマルチメディアデータ（第1のデータ）を復元することができる。【００５４】
なお、ムーブの際に第１記録再生装置に保存された暗号化データ単独では、マルチメディアデータの再生はできないので、コピーワンスの条件である一つの装置上でのみ再生を許可するという動作が保証される。このように、マルチメディアデータの再生は常に一つの装置でのみ可能であるが、ムーブ後のマルチメディアデータ（第２のデータ）を第１記録再生装置に書き戻すことにより、たとえ、ムーブ時にデータサイズなどのデータフォーマットや符号化方式を変更するデータ変換をしたとしても、第１記録再生装置でムーブ前の本来のマルチメディアデータ（第1のデータ）を復元することができる。【００５５】
本発明によるマルチメディアデータ記録再生装置の最良の実施の形態について、図１乃至図６を用いて詳細に説明する。ここに、図１は、本発明の実施形態に係るマルチメディアデータ記録再生装置を示すブロック構成図である。図２は、本発明の実施形態に係る動画データ（第１のデータ）について示す図である。図３は、本発明の実施形態に係る動画データ（第２のデータ）について示す図である。図４は、本発明の実施形態に係る暗号化処理について説明するための図である。図５は、本発明の実施形態にかかるマルチメディアデータ記録再生装置の動作について説明するための図である。図６は、本発明の実施形態にかかるマルチメディアデータ記録再生装置の動作について説明するための他の図である。【００５６】
なお、以下の説明においては、本発明の実施形態に係るマルチメディアデータ記録再生装置が扱うマルチメディアデータは、テレビ映像などに代表される動画データとなっているが、他の種類のデータをであってもよく、複数の種類のデータを組み合わせて構成したデータであってもよい。【００５７】
（最良の実施の形態）
図１に示すマルチメディアデータ記録再生装置は、第１記録再生装置１０と、第２記録再生装置２０とを備えている。第１記録再生装置１０は、入力された映像などの動画データ（第1のデータ）を保存し、データフォーマットや符号化方式の変更処理を行う。第２記録再生装置は、データフォーマットや符号化方式の変更後の動画データ（第２のデータ）を蓄積し再生する。第１記録再生装置１０は、ＨＤＤ装置１１と、データ変換装置１８と、データ削除装置１５と、暗号化処理装置１６と、暗号解除処理装置１７とを備えている。データ変換装置１８は、復号処理装置１２と、フォーマット変換処理装置１３と、符号化処理装置１４とを備えている。【００５８】
ここで、別個の記録再生装置である第１記録再生装置１０と第２記録再生装置２０とは、有線や無線のＬＡＮ（Local Area Network）接続によりデータ転送を行ってもよく、着脱自在な記録媒体を介してデータを授受してもよい。【００５９】
ＨＤＤ装置１１は、符号化された動画データ（第1のデータ）５１を蓄積すると共に、暗号化処理装置１６が暗号化した暗号化データ７１を保存する。復号処理装置１２は、動画データ５１を符号化前の元の動画データ５０に復号する。【００６０】
また、フォーマット変換処理装置１３は、動画データ５０に対して、画像サイズなどのデータフォーマットを第２記録再生装置２０において再生可能な形式に変更するデータ変換を行う。符号化処理装置１４は、動画データ５０もしくはフォーマット変換処理装置１３によりデータフォーマットが変換された動画データ６０を、第２記録再生装置２０において再生可能な符号化方式の動画データ（第２のデータ）６１に符号化する。【００６１】
また、データ削除装置１５は、動画データ５１をＨＤＤ装置１１から削除したり、暗号化されて保存された暗号化データ７１をＨＤＤ装置１１から削除したりする。暗号化処理装置１６は、動画データ（第1のデータ）５１に対して動画データ（第２のデータ）６１を鍵として暗号化処理を施して暗号化データ７１を生成する。ＨＤＤ装置１１は暗号化データ７１を保存する。暗号解除処理装置１７は、動画データ（第２のデータ）６３を鍵として暗号化データ７１を本来の動画データ（第1のデータ）５２に復号化する。ＨＤＤ装置１１は、動画データ５２を蓄積する。【００６２】
次に、図１に示すマルチメディアデータ記録再生装置の動作について図５及び図６を用いて説明する。ＨＤＤ装置１１に記録された動画データ（第1のデータ）５１は、コピーワンス信号が付加された状態で符号化されているため、第１記録再生装置１０内の他の記録媒体のみならず、他の装置に対しても、再度コピーすることができないものとする。【００６３】
図５に示されるように、第１記録再生装置１０のデータ変換装置１８は、動画データ５１を第２記録再生装置２０において再生等の利用をするために変換したデータとしての動画データ６１を生成する。データ変換装置１８は、動画データ５１を動画データ６１に変換するとき、データの内容の同一性を保持したまま、データフォーマット、符号化方式、又はこの両者を変更する。例えば、データ変換装置１８は、高解像度の映画「Ａ」のデータを低解像度の映画「Ａ」のデータに変換する。このことは図６に詳細に示されている。復号処理装置１２は動画データ５１を復号して動画データ５０を生成する。フォーマット変換処理装置１３は動画データ５０を第２記録再生装置２０で再生可能なデータフォーマットのデータに変換して（例えば画像サイズを縮小して）動画データ６０を生成する。符号化処理装置１４は動画データ６０を第２記録再生装置２０で再生可能な符号化方式に符号化して動画データ６１を生成する。【００６４】
ここで、データフォーマットの変更（例えばサイズ変更）が必要ではない場合は、フォーマット変換処理装置１３では何も処理を行わないようにしても良い。この場合、符号化処理装置１４は、動画データ５０を第２記録再生装置２０で再生可能な符号化方式に符号化して動画データ６１を生成する。ここで、動画データ５１及び動画データ６１は、符号化方式が互いに異なっているが、符号化方式が同一である場合もあり得る。【００６５】
次に、暗号化処理装置１６は、図５に示されるように、動画データ６２を鍵として動画データ５１を暗号化した暗号化データ７１を生成する。暗号化は、例えば図４に示されるように、データ長が長い動画データ５１と、データ長が短い動画データ６１を繰り返して得られた動画データ５１と同じデータ長のデータとについて、排他的論理和を求めることにより行っても良い。ＨＤＤ装置１１は暗号化データ７１を保存する。【００６６】
更に、データ削除装置１５は動画データ５１をＨＤＤ装置１１上から削除する。次に、第１記録再生装置１０は、動画データ６１を第２記録再生装置２０に対して転送してムーブ動作を行う。このとき、第２記録再生装置２０においては動画データ６１の複製である動画データ６２が生成されて記憶され、第１記録再生装置１０においてはデータ削除装置１５は動画データ６１を削除する。なお、第１記録再生装置１０において、暗号化データ７１を保存する保存場所として、本実施形態においては、動画データ５１の蓄積場所であるＨＤＤ装置１１を想定しているが、異なる場所に保存するようにしても良い。【００６７】
しかる後、第１記録再生装置１０上で、再び、本来の動画データ（第1のデータ）５１を再生したい場合は、動画データ（第２のデータ）６２を第１記録再生装置１０に再度ムーブすることにより書き戻して、第２記録再生装置２０上の動画データ（第２のデータ）６２を削除する。このとき第１記録再生装置１０においては、動画データ６２の複製である動画データ６３が生成されてＨＤＤ装置１１に保存される。【００６８】
なお、動画データ（第２のデータ）は第２記録再生装置２０から直接第１記録再生装置１０にムーブされても良いが、第３の記録再生装置を経由してムーブされても良い。【００６９】
次に、暗号解除処理装置１７は、書き戻したこの動画データ（第２のデータ）６３自体を鍵として、ＨＤＤ装置１１に保存しておいた暗号化データ７１に対して暗号の解除処理を行う。暗号の解除処理により復元された動画データ５２は、元の動画データ（第1のデータ）５１の複製に相当し、動画データ５１とデータの内容及び形式が同一である。ＨＤＤ装置１１は動画データ５２を蓄積する。一方、データ削除装置１５は、不要になった暗号化データ７１をＨＤＤ装置１１から削除する。【００７０】
ここで、データ削除装置１５が動画データ６３も削除すれば、動画データ５１から動画データ６１を生成する前の状態に戻る。【００７１】
次に、図１に示すマルチメディアデータ記録再生装置のより具体的な動作について説明する。図２に示すように、第１記録再生装置１０上で再生可能な動画データ（第1のデータ）５１、５２は、ＭＰＥＧ−２方式の２０ＭｂｐｓのＨＤＴＶ（Ｈｉｇｈ Ｄｅｆｉｎｉｔｉｏｎ ＴｅｌｅＶｉｓｉｏｎ）データである。【００７２】
なお、動画データ５１、５２の解像度は、例えば、水平方向１９２０画素、垂直方向１０８０画素である。動画データ５１、５２は、コピーワンス信号が付加されているため、他の装置へのコピー（複製）はできないものの、ムーブ動作（他の装置への転送後、コピー元のデータを削除する動作）は許可される。【００７３】
一方、第２記録再生装置２０では、図２に示されたようなサイズの大きな動画データを再生することができない。したがって、図２に示すＨＤＴＶデータを第２記録再生装置２０で再生するためには、ＭＰＥＧ−２方式の高解像度と高ビットレートとを下げる必要がある。【００７４】
このため、図２のＨＤＴＶデータを、例えば、図３に示されるように、水平方向３２０画素、垂直方向２４０画素の解像度に低減し、ＭＰＥＧ−４方式による１Ｍｂｐｓのビットレートで符号化してから第２記録再生装置２０に対してムーブすることとする。ここに、図３は、第２記録再生装置２０上で再生可能な動画データ６１、６２、６３の一例を示している。【００７５】
このように、ＭＰＥＧ４方式に変換した動画データ（第２のデータ）６１を第２記録再生装置２０にムーブするためには、第１記録再生装置１０において次のような動作を行う。まず、復号処理装置１２は２０ＭｂｐｓのＭＰＥＧ−２データである動画データ５１を復号することにより、元のＨＤＴＶデータである動画データ５０に復元する。【００７６】
次に、フォーマット変換処理装置１３は、動画データ５０を動画データ６０に変換し、解像度を３２０×２４０画素に低減する。次に、符号化処理装置１４は動画データ６０を１ＭｂｐｓのビットレートでＭＰＥＧ−４方式に符号化する。解像度が低減され、かつビットレートが１Ｍｂｐｓとされた動画データ（第２のデータ）６１は、高解像度の２０Ｍｂｐｓの動画データ（第1のデータ）５１と比較して、解像度及びビットレートが低く、データのサイズが小さい。第２記録再生装置２０は動画データ６１を再生することが可能である。【００７７】
しかる後、暗号化処理装置１６は、図４に示すように、動画データ６１を動画データ５１とデータ長が同じになるまで繰り返したデータと動画データ５１との間で排他的論理和演算を行って残差信号（７１）を生成することにより暗号化処理を行う。ＨＤＤ装置１１は、排他的論理和演算の結果として暗号化された暗号化データ７１を保存する。【００７８】
なお、図４は、動画データ５１に動画データ６１を鍵として用いる暗号化処理を施して、暗号化データ７１を生成する動作の一例を示している。【００７９】
次に、ムーブ前の本来の動画データ５１である２０ＭｂｐｓのＭＰＥＧ−２データは、データ削除装置１５により、ＨＤＤ装置１１上から削除される。一方、符号化処理装置１４により生成された１ＭｂｐｓのＭＰＥＧ−４方式の動画データ６１は、第２記録再生装置２０に対して転送される。なお、第１記録再生装置１０の符号化処理装置１４上で生成されている１Ｍｂｐｓの動画データ（第２のデータ）６１も、第２記録再生装置２０へのムーブ動作が終了した時点で、データ削除装置１５により削除される。【００８０】
而して、ＨＤＤ装置１１に蓄積されていたＨＤＴＶデータ（動画データ５１）は、第１記録再生装置１０では再生することができず、第２記録再生装置２０にムーブされた１Ｍｂｐｓの動画データ（第２のデータ）６２として、第２記録再生装置２０においてのみ再生することができる。【００８１】
一方、第１記録再生装置１０においては、動画データ５１を暗号化した暗号化データ７１がＨＤＤ装置１１に保存されてはいるものの、暗号化データ７１の暗号を解除するための鍵（動画データ６１）がないため、ＨＤＴＶデータ（動画データ５１）の再生をすることができない。この場合であっても、第１記録再生装置１０においては、ＨＤＤ装置１１に保存されている暗号化データ７１から保存されていた動画データ５１に関する情報を取得することができる。つまり、どのような動画データが、元々、第１記録再生装置１０に存在していたのかが把握される。【００８２】
しかる後に、ＨＤＤ装置１１に蓄積されていた本来のＨＤＴＶデータ（動画データ５１）を第１記録再生装置１０において再生しようとする場合には、動画データ６２を第１記録再生装置１０にムーブすることにより第１記録再生装置１０に書き戻す処理を行う必要がある。この書き戻す処理を行う場合、第２記録再生装置２０は、動画データ６２を第１記録再生装置１０に転送した後、動画データ６２を削除する。このとき、ＨＤＤ装置１１は、動画データ６２の複製としての動画データ６３を保存する。【００８３】
暗号解除処理装置１７は、第１記録再生装置１０に書き戻された１Ｍｂｐｓの動画データ（第２のデータ）６３を鍵として用いて、ＨＤＤ装置１１上に保存されている暗号化データ７１の暗号を解除する。即ち、暗号解除処理装置１７は、動画データ６３を暗号化データ７１と同じデータ長になるまで繰り返したデータと暗号化データ７１との間で排他的論理和演算を行う。この排他的論理和演算により、解像度を変更する前の２０ＭｂｐｓのＭＰＥＧ−２方式の動画データ（第1のデータ）５２が復元される。【００８４】
ＨＤＤ装置１１は、ムーブ前の本来の動画データ５１と同じデータに復元された２０ＭｂｐｓのＭＰＥＧ−２方式の動画データ（第1のデータ）５２を、蓄積する。データ削除装置１５は、不要となった暗号化データ７１を削除する。【００８５】
以上、本発明の実施をするための最良の形態を説明した。しかし、斯かる説明は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図１】
2006126530.tif 000002
【図２】
2006126530.tif 000003
【図３】
2006126530.tif 000004
【図４】
2006126530.tif 000005
【図５】
2006126530.tif 000006
【図６】
2006126530.tif 000007
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
コピーワンス信号つきの第１のデータを蓄積するための記憶部と、前記第１のデータを第２のデータに変換するデータ変換部と、前記第１のデータを暗号化して暗号化データを生成する暗号化部と、前記第２のデータが外部に移動された際に前記第１のデータを前記記憶部から削除するデータ削除部とを備えるマルチメディアデータ記録再生装置。
【請求項２】
前記データ変換部は、前記第１のデータを復号する復号部と、復号された前記第１のデータを前記第２のデータのデータフォーマットに変換するフォーマット変換部と、復号後フォーマット変換された前記第１のデータを符号化して前記第２のデータを生成する符号化部とを備える請求の範囲１のマルチメディアデータ記録再生装置。
【請求項３】
外部から書き戻された前記第２のデータと前記暗号化データとから前記第１のデータをコピーワンス信号付きで復元する暗号化解除部を備える請求の範囲１又は２のマルチメディアデータ記録再生装置。
【請求項４】
前記暗号化部は、前記第１のデータを前記第２のデータがない限り再生できない形に変換することで前記暗号化データを生成する請求の範囲１乃至３のいずれかに記載のマルチメディアデータ記録再生装置。
【請求項５】
前記暗号化部は、前記第２のデータを暗号化鍵として前記第１のデータを暗号化して前記暗号化データを生成する請求の範囲４のマルチメディアデータ記録再生装置。
【請求項６】
前記第１のデータと前記第２のデータとは、解像度、ビットレート、符号化方式の少なくとも一つが異なる請求の範囲１乃至５のいずれかに記載のマルチメディアデータ記録再生装置。
【請求項７】
コピーワンス信号つきの第１のデータを蓄積する記憶ステップと、前記第１のデータを第２のデータに変換するデータ変換ステップと、前記第１のデータを暗号化して暗号化データを生成する暗号化ステップと、前記第２のデータが外部に移動された際に前記記憶ステップで蓄積した前記第１のデータを削除するデータ削除ステップとを備えるマルチメディアデータ記録再生方法。
【請求項８】
前記データ変換ステップは、前記第１のデータを復号する復号ステップと、復号された前記第１のデータを前記第２のデータのデータフォーマットに変換するフォーマット変換ステップと、復号後フォーマット変換された前記第１のデータを符号化して前記第２のデータを生成する符号化ステップとを備える請求の範囲７のマルチメディアデータ記録再生方法。
【請求項９】
外部から書き戻された前記第２のデータと前記暗号化データとから前記第１のデータをコピーワンス信号付きで復元する暗号化解除ステップを備える請求の範囲７又は８のマルチメディアデータ記録再生方法。
【請求項１０】
前記暗号化ステップにおいて、前記第１のデータを前記第２のデータがない限り再生できない形に変換することで前記暗号化データを生成する請求の範囲７乃至９のいずれかに記載のマルチメディアデータ記録再生方法。
【請求項１１】
前記暗号化ステップにおいて、前記第２のデータを暗号化鍵として前記第１のデータを暗号化して前記暗号化データを生成する請求の範囲１０のマルチメディアデータ記録再生方法。
【請求項１２】
前記第１のデータと前記第２のデータとは、解像度、ビットレート、符号化方式の少なくとも一つが異なる請求の範囲７乃至１１のいずれかに記載のマルチメディアデータ記録再生方法。
【請求項１３】
請求の範囲７乃至１２のいずれかに記載のマルチメディアデータ記録再生方法をコンピュータに実行させるマルチメディアデータ記録再生プログラム。
【請求項１４】
請求の範囲１３のマルチメディアデータ記録再生プログラムをコンピュータにより読み取り可能に記録したプログラム記録媒体。
【国際調査報告】
2006126530.tif 000008
2006126530.tif 000009
2006126530.tif 000010
2006126530.tif 000011